(57)【要約】【課題】画像撮影中に静止画像を撮影可能な撮像装置において、被写体が人である場合に、被写体に、動画像の撮影中に静止画像が撮影されることを意識させ、さらには被写体が静止画像撮影のタイミングを予測可能な撮像装置を提供する。【解決手段】本発明の撮像装置は、動画像撮影中に静止画像を撮影可能であり、動画像撮影中に、レリーズボタン２３が半押しされると、静止画像の撮影動作が行われることを視覚を通じて被写体に知らせる通知手段を具えており、前記レリーズボタン２３が全押しされると静止画像の撮影動作を行うことを特徴とする。前記第１通知手段は、前記レリーズボタン２３が半押しされると点灯又は点滅する発光手段２５としてよく、又は、前記レリーズボタン２３が半押しされると光源部２７がポップアップするストロボ装置としてもよい。【選択図】図１
2005057361.tif 000002
【特許請求の範囲】
【請求項１】
動画像撮影中に静止画像を撮影可能な撮像装置において、
動画像撮影中に、レリーズボタン（２３）が半押しされると、静止画像の撮影動作が行われることを視覚を通じて被写体に知らせる第１通知手段を具えており、
前記レリーズボタン（２３）が全押しされると前記撮影動作を行うことを特徴とする撮像装置。
【請求項２】
前記第１通知手段は、前記レリーズボタン（２３）が半押しされると点灯又は点滅する発光手段（２５）である請求項１に記載の撮像装置。
【請求項３】
前記第１通知手段は、前記レリーズボタン（２３）が半押しされると光源部（２７）がポップアップするストロボ装置である請求項１に記載の撮像装置。
【請求項４】
前記レリーズボタン（２３）が半押しされると、前記撮影動作に関する設定事項が表示部（１７）に表示される請求項１乃至請求項３の何れかに記載の撮像装置。
【請求項５】
前記レリーズボタン（２３）が半押しされると、焦点の再調整動作を行い、前記再調整動作の終了後に、合焦を知らせる第２通知手段（２６）を具える請求項１乃至請求項４の何れかに記載の撮像装置。
【発明の詳細な説明】
【０００１】
【発明が属する技術分野】
本発明は、動画像撮影中に静止画像を撮影可能な撮像装置に関する。
【０００２】
【従来の技術】
近年、動画像の撮影中に静止画像の撮影が可能な撮像装置が提案されている。このような撮像装置は、一般的に、ＣＣＤ（Ｃｈａｒｇｅ  Ｃｏｕｐｌｅｄ  Ｄｅｖｉｃｅ）等の固体撮像素子からの出力信号から得られる動画像用の画像データを処理する動画像処理部と、同様にして得られる静止画像用の画像データを処理する静止画像処理部とを具えている。動画像の撮影を開始させる第１ボタンが押されると、動画像処理部で処理された画像データは、記録媒体に順次記録され、該第１ボタンが押された状態で静止画像の撮影を開始させる第２ボタンが押されると、静止画像処理部で処理された画像データも記録媒体に記録される（特許文献１参照）。
【０００３】
【特許文献１】
特開２００１−１０３３６１号公報
【０００４】
【発明が解決しようとする課題】
被写体が人ぶつである場合を考える。例えば、静止画像のみを撮影可能な撮像装置を用いて、撮影者との合意の下で被写体が撮影される場合、被写体は、通常、撮影のタイミングを予測して、静止画像として記録を希望するポーズを撮影時に取ることができる。
【０００５】
しかしながら、動画像の撮影中に静止画像が撮影可能な撮像装置を用いて被写体が撮影される場合、動画像の撮影が行われていることを知っていても、被写体にとって、動画像の撮影中に静止画像の撮影が行われるか否かを知ることは難しい。また、動画像の撮影中に静止画像の撮影が行われることを知っていても、被写体にとって、静止画像の撮影が実際に行われるタイミングを予測することはさらに難しい。従って、従来の撮像装置では、動画像の撮影中に静止画像が撮影される場合に、被写体にとって、静止画像として記録を希望するポーズを撮影時に取ることは極めて困難であった。
【０００６】
勿論、動画像の撮影中に撮影者と被写体との間で会話がなされることにより、被写体は、静止画像の撮影を知ることが、さらに、撮影者からの告知によって、静止画像の撮影タイミングを予測して静止画像撮影時に所望のポーズを取ることができる。しかし、これでは、撮像装置に動画像と共に音声が記録される場合、記録される音声に、撮影者と被写体間の会話や撮影者の声が加わるという問題が生じてしまう。
【０００７】
本発明は、上記の問題を解決するものであり、動画像撮影中に静止画像を撮影可能な撮像装置において、被写体が人物である場合に、被写体に、動画像の撮影中に静止画像が撮影されることを知らせ、さらには被写体が静止画像撮影のタイミングを予測可能な撮像装置を提供する。
【０００８】
【課題を解決するための手段】
本発明の撮像装置は、動画像撮影中に静止画像を撮影可能な撮像装置において、動画像撮影中に、レリーズボタンが半押しされると、静止画像の撮影動作が行われることを視覚を通じて被写体に知らせる第１通知手段を具えており、前記レリーズボタンが全押しされると前記影動作を行うことを特徴とする。
【０００９】
また、本発明の撮像装置は、前記レリーズボタンが半押しされると、静止画像の撮影動作に関する設定事項が表示部に表示される。さらに、本発明の撮像装置は、前記レリーズボタンが半押しされると、焦点の再調整動作を行い、前記再調整動作の終了後に合焦を知らせる第２通知手段を具えている。
【００１０】
【作用及び効果】
動画像撮影中にレリーズボタンが半押しされると、静止画像の撮影動作を行うことを被写体に知らせる第１通知手段を撮像装置に設けることにより、被写体が人物である場合に、被写体は、動画像撮影中に静止画像が撮影されることを知って、さらにその撮影タイミングを予測して、静止画像として記録を望むポーズを取ることができる。被写体がポーズを取った後、撮影者がレリーズボタンを全押しすると、所望のポーズを取った被写体を撮影した静止画像が、動画像撮影中に撮影される。また、第１通知手段は、視覚を通じた通知を行うので、撮像装置が動画像と共に音声も記録している場合に、記録される音声に影響を与えることなく、被写体に静止画像の撮影が行われることを通知できる。第１通知手段は、例えば、レリーズボタン半押しされると点灯又は点滅する発光手段、又は、レリーズボタンが半押しされると光源部がポップアップするストロボ装置とすることができる。
【００１１】
レリーズボタンが半押しされると、静止画像の撮影動作に関する設定事項が表示部に表示されるように撮像装置を構成すると、該撮像装置を使用する撮影者は、静止画像の撮影前に設定事項の確認を行うことができる。また、設定事項が表示されることによって、表示部がＥＶＦ（Ｅｌｅｃｔｒｏ−ｖｉｅｗ  Ｆｉｎｄｅｒ）として動作している場合、撮像者は、撮影される静止画像が、表示部に表示されるスルー画像、又は記録される動画像におけるどの時点の画像に相当するかについて把握できる。
【００１２】
撮像装置が、レリーズボタンが半押しされると、焦点の再調整動作の終了後に合焦を知らせる第２通知手段を具えることにより、静止画像の撮影準備が完了したことを撮影者に知らせることができる。
【００１３】
【発明の実施の形態】
以下、本発明の実施例について図を用いて説明する。図１は、本発明の一実施例である撮像装置を正面側から見た斜視図であり、図２は、該撮像装置を背面側から見た斜視図である。本撮像装置は、デジタルビデオカメラであり、動画像及び静止画像の撮影が可能である。撮像装置の前面部には、ズームレンズ（１）、第１発光ダイオード（以下、ＬＥＤと称す）（２５）、マイクロフォン（１２）、及び、動画像撮影動作を開始させる動画像撮影ボタン（２２）が配設されている。撮像装置が動画像撮影モードに設定されている場合、動画像撮影ボタン（２２）が押されている間、撮像装置は動画像の撮像を継続して行う。
【００１４】
また、撮像装置の前面部には、ストロボ装置の光源部（２７）が設けられている。ストロボ装置は、ポップアップ式になっており、上下方向に移動自在に構成されている。光源部（２７）は、図１及び図２において破線で示すように、発光する前に上昇（ポップアップ）して、撮像装置の上面部から突出する。
【００１５】
撮像装置の上面部には、静止画像撮影動作を開始させるレリーズボタン（２３）が配設されている。静止画像撮影モードにおいてレリーズボタン（２３）が全押しされると、又は動画像撮影モードにおいて動画像撮影ボタン（２２）に加えてレリーズボタン（２３）が全押し押されると、撮像装置は静止画像の撮影を行う。撮像装置の一方の側面部には、表示部たるＬＣＤ（Ｌｉｑｕｉｄ  Ｃｒｙｓｔａｌ  Ｄｉｓｐｌａｙ）（１７）が設けられている。該ＬＣＤ（１７）は、撮像時においてスルー画像を表示し、ＥＶＦとして機能する。また、ＬＣＤ（１７）には、記録された動画像又は静止画像が表示され、撮像装置の各種設定事項も表示される。撮像装置の他方の側面部には、各種モード設定用のボタンや記録された音声を再生するスピーカ（１９）等が配設されている。撮像装置の背面部には、操作用の各種ボタンや第２ＬＥＤ（２６）等が配設されている。
【００１６】
図３は、本実施例の撮像装置の概要を示すブロック図である。被写体から送られた光は、ズームレンズ（１）及びフォーカスレンズ（２）を経て、撮像素子たるＣＣＤ（３）に入射する。ＣＣＤ（３）は、入射した光を電気的な画像信号に変換する。システムコントローラ（４）は、ＣＣＤドライバ（５）を介してＣＣＤ（３）からの画像信号の読出しを制御する。画像信号処理部（６）は、ＣＣＤ（３）から読み出された画像信号を、所定の周期でサンプリングし、所定のレベルに増幅し、さらにはデジタル化して画像データに変換する。
【００１７】
フォーカスレンズ（２）は、フォーカスレンズ駆動部（７）が動作することにより、入射光の光軸に沿って前後に移動可能である。フォーカスレンズ駆動部（７）はステッピングモータを含んでおり、モータドライバ（８）は、システムコントローラ（４）によって指示された向き及び回転数で該ステッピングモータを回転させる。システムコントローラ（４）は、画像信号処理部（６）から送られる画像データのコントラストに基づいて、フォーカスレンズ（２）を合焦位置に移動させるように、モータドライバ（８）に回転方向及び回転数を指示する。このように、撮像装置における焦点の自動調整が行われる。な図示及び説明は省略するが、フォーカスレンズ（２）と同様に、ズームレンズ（１）も光軸に沿って移動可能である。
【００１８】
画像データは、画像信号処理部（６）から動画像処理部（９）及び静止画像処理部（１０）にも送られる。動画像処理部（９）には、オーディオ入力処理部（１１）が接続されており、該オーディオ入力処理部（１１）は、マイクロフォン（１２）で検出された音声を音声データに変換して、動画像処理部（９）に送る。動画像処理部（９）は、画像信号処理部（６）から順次送られる動画像を構成する画像データの間引き処理を行う。また、撮像装置が動画像撮影モードで動作する場合、動画像処理部（９）は、間引き処理後の画像データと、オーディオ入力処理部（１１）から送られる音声データとに対して圧縮処理を行い、さらに、該処理後の一連の画像データと音声データを多重化処理によりデータストリーム化する。圧縮及び多重化処理には、例えば、ＭＰＥＧ（Ｍｏｖｉｎｇ  Ｐｉｃｔｕｒｅ  Ｅｘｐｅｒｔｓ  Ｇｒｏｕｐ）２又は４方式等が用いられる。多重化処理により生成されたデータストリームは、バッファメモリ（１３）に一時記憶された後、インターフェイス部（１４）を介して、記録媒体（１５）に一つのファイルとして記録される。記録媒体（１５）には、メモリーカード、ＤＶＤ−ＲＷ又はＤＶＤ−ＲＡＭ等が用いられる。
【００１９】
また、動画像処理部（９）で間引き処理された画像データは、圧縮処理を施されずにバッファメモリ（１３）に一時記憶されて、ＬＣＤドライバ（１６）を介してスルー画像としてＬＣＤ（１７）に表示される。これにより、動画像又は静止画像撮影時において、ＬＣＤ（１７）は、撮影時にＥＶＦとして機能する。記録媒体（１５）に記録された動画像のファイルが再生される場合、動画像処理部（９）は、インターフェイス部（１４）を介して記録媒体（１５）から送られる該ファイルに係るデータストリームに分離及び伸長処理を行って、これら処理により得られた画像データをＬＣＤドライバ（１６）に、音声データをオーディオ出力処理部（１８）に送る。画像データはＬＣＤ（１７）に表示され、音声データは、オーディオ出力処理部（１８）にてアナログ音声信号に変換、さらには増幅されて、スピーカ（１９）から音声として出力される。
【００２０】
静止画像処理部（１０）は、静止画像撮影モードにおいてレリーズボタン（２３）が全押しされると、又は動画像撮影モードにおいて動画像撮影ボタン（２２）に加えてレリーズボタン（２３）が全押し押されると、画像信号処理部（６）から送られた画像データに圧縮処理等を行う。圧縮処理には、例えば、ＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）方式が用いられる。静止画像処理部（１０）で処理された画像データは、バッファメモリ（１３）及びインターフェイス部（１４）を介して、記録媒体（１５）に記録される。また、記録媒体（１５）に記録された画像データが再生される場合、静止画像処理部（１０）は、インターフェイス部（１４）及びバッファメモリ（１３）を介して記録媒体（１５）から送られた記録データに伸長処理等を行う。該処理により得られた画像データは、ＬＣＤドライバ（１６）に送られて、ＬＣＤ（１７）に表示される。
【００２１】
文字（数字及び記号を含む）、アイコンや枠等を動画像又は静止画像と共にＬＣＤ（１７）に表示するために、撮像装置には、ＯＳＤ（Ｏｎ  Ｓｃｒｅｅｎ  Ｄｉｓｐｌａｙ）コントローラ（２０）が設けられている。ＯＳＤコントローラ（２０）は、システムコントローラ（４）により指示された文字等について表示用データを作成し、加算器（２１）に送る。表示用データは、加算器（２１）によりバッファメモリ（１７）から送られる画像データに重畳されてＬＣＤドライバ（１６）に送られる。
【００２２】
システムコントローラ（４）は、図示を省略したＣＰＵ、ＲＯＭ、ＲＡＭ等を含んでおり、撮像装置における種々の制御を行う。システムコントローラ（４）には、動画像撮影ボタン（２２）、レリーズボタン（２３）、図１及び図２に示すこれら以外のボタン類（図４において操作部（２４）として纏めて示す）、第１ＬＥＤ（２５）、及び第２ＬＥＤ（２６）が接続されている。レリーズボタン（２３）は２段押し込み式になっており、半押し状態でオンになる第１スイッチ（２３ａ）と、全押し状態でオンになる第２スイッチ（２３ｂ）とを具えている。
【００２３】
撮像装置が具えるストロボ装置は、光源部（２７）と、該光源部（２７）を上下動させるポップアップ機構部（２８）とを含んでいる。ポップアップ機構部（２８）は、光源部（２７）のガイド装置やステッピングモータ等を含んでおり、該ステッピングモータがモータドライバ（２９）を介してシステムコントローラ（４）により駆動されて、光源部（２７）の上下動が行われる。なお、本発明の撮像装置におけるストロボ装置の形態は、本発明の目的を達成できる限りにおいて、本実施例に限定されることはない。光源部は、例えば、収納時において撮像装置の本体部内に隠れるように構成されてもよい。
【００２４】
次に、本発明の実施例の撮像装置が行う、動画像撮影中の静止画像撮影動作について説明する。図４は、本動作を示すフローチャートである。まず、操作部（２４）によって動画像撮影モードが設定されている状態で、動画像撮影ボタン（２２）が押されると、撮像装置は動画像の撮影を開始する（Ｓ１）。システムコントローラ（４）は、ＣＣＤドライバ（５）を駆動して、所定の周期でＣＣＤ（３）から画像信号を読み出す。動画像処理部（９）は、画像信号処理部（６）から送られる画像データを順次処理し、これら画像データは、先に説明したように、オーディオ入力処理部（１１）から送られる音声データと共に処理されて記録媒体（１５）に記憶される。また、システムコントローラ（４）は、画像信号処理部（６）から順次送られる画像データに基づいて自動焦点処理を繰り返し行う。システムコントローラ（４）は、動画像撮影ボタン（２２）が押されているか否かを判断し（Ｓ２）、動画像撮影ボタン（２２）が押されなくなった場合、動画像の撮影を終了する（Ｓ３）。動画像撮影ボタン（２２）が押されている間、動画像の撮影は継続して行われる。
【００２５】
動画像撮影ボタン（２２）が押されている間、システムコントローラ（４）は、レリーズボタン（２３）が半押しされたか否か、すなわち第１スイッチ（２３ａ）がオンになったか否かを判断する（Ｓ４）。レリーズボタン（２３）が半押しされると、システムコントローラ（４）は、モータドライバ（２９）を介してポップアップ機構部（２８）を駆動し、ストロボ装置の光源部（２７）を上昇、すなわちポップアップさせる（Ｓ５）。さらに、システムコントローラ（４）は、レリーズボタン（２３）が半押しされると、撮像装置の前面部に設けられた第１ＬＥＤ（２５）を所定の時間（例えば、数秒程度）点滅させる（Ｓ６）。光源部（２７）のポップアップ及び第１ＬＥＤ（２５）の点滅によって、被写体たる人物に静止画像の撮影が行われることが通知される。つまり、被写体は、光源部（２７）のポップアップ及び第１ＬＥＤ（２５）の点滅を視覚により認識することによって、静止画像の撮影が行われることを知る。被写体に静止画像の撮影を通知するために、第１ＬＥＤ（２５）を所定の時間継続して点灯させてもよい。
【００２６】
また、レリーズボタン（２３）が半押しされると、システムコントローラ（４）は、ＯＳＤコントローラ（２０）を動作させて、ＬＣＤ（１７）に、静止画像撮影動作に関する設定事項を表示する（Ｓ７）。図２には、設定事項を示すアイコン（３０）がＬＣＤ（１７）に表示された状態が示されている。設定事項は、例えば、記録媒体（１５）に記録される静止画像の画像データの解像度、画像データの圧縮率やホワイトバランス設定等である。これら設定事項は、予め撮像者が操作部（２４）を操作することにより選択又は決定されており、システムコントローラ（４）に記憶されている。このように、静止画像撮影動作に関する設定事項がＬＣＤ（１７）に表示されて、撮影者は、静止画像撮影の開始を知ると共に、設定事項を確認できる。
【００２７】
さらに、撮像装置は、レリーズボタン（２３）が半押しされると、焦点の再調整動作を行う（Ｓ８）。システムコントローラ（４）は、この再調整動作の終了後、第２ＬＥＤ（２６）を所定の時間（例えば、数秒程度）点滅させて、撮影者に合焦を知らせる（Ｓ９）。撮影者に合焦を知らせるために、第２ＬＥＤ（２６）を、所定の時間継続して点灯させてもよい。再調整動作によるフォーカスレンズ（２）の合焦位置は、静止画像撮影終了まで維持される。これにより、撮影者は、所謂中抜け等を防止して、被写体が明瞭に写った静止画像を撮影できる。
【００２８】
ステップＳ５乃至Ｓ９の後、システムコントローラ（４）は、レリーズボタン（２３）が全押しされたか否か、すなわち、第２スイッチ（２３ｂ）がオンになったか否かを判断する（Ｓ１０）。レリーズボタン（２３）が全押しされた場合、撮像装置は静止画像を撮影する（Ｓ１１）。システムコントローラ（４）は、画像信号処理部（６）から送られた画像データに基づいてストロボ装置の光源部（２７）を発光させる必要性を判断し、必要があると判断した場合に光源部（２７）を発光させる。レリーズボタン（２３）が全押しされた後にＣＣＤ（３）から読み出された画像信号が、画像信号処理部（６）で画像データに変換されて、静止画像処理部（１０）に送られる。そして、該画像データは、静止画像処理部（１０）にて圧縮処理等が施された後、静止画像として記録媒体（１５）に記録される。
【００２９】
静止画像の撮影終了後、システムコントローラ（４）は、静止画像動作に関する設定事項のＬＣＤ（１７）への表示を終了させる（Ｓ１２）。これより、撮像者は、静止画像の撮影が完了したことを知る。また、システムコントローラ（４）は、第１ＬＥＤ（２５）を所定の時間（例えば、５秒程度）継続して点灯させる（Ｓ１３）。さらに、システムコントローラ（４）は、モータドライバ（２９）を介してポップアップ機構を駆動して、ストロボ装置の光源部（２７）を下降させ、該光源部（２７）は、撮像装置の本体側に収納される（Ｓ１４）。被写体は、第１ＬＥＤ（２５）の点灯及び光源部（２７）の収納により、静止画像の撮影が完了したことを知る。撮像装置は、ステップＳ４乃至Ｓ１４の間、動画像として記録される画像データの動画像処理部（９）における処理及び記録媒体（１５）への記録を並行して行う。
【００３０】
図４では、便宜上、ステップＳ５乃至Ｓ８を順序づけて示してあるが、これらステップの順序は特に限定されず、例えば、これらステップは同時に行われてもよい。ステップＳ１２乃至Ｓ１４についても同様である。また、本実施例では、動画撮影中に、被写体に静止画像撮影を通知する手段として、光源部（２７）がポップアップするストロボ装置と、発光手段たる第１ＬＥＤ（２５）とを具えているが、いずれか一方は省略されてもよい。また、本実施例では、焦点再調整による合焦を撮影者に通知する手段として第２ＬＥＤ（２６）を用いているが、例えば、システムコントローラ（４）の指示により、スピーカ（１９）から、合焦を通知する小音を短時間発生させてもよく、又は、合焦を通知するアイコン等をＬＣＤ（１７）に表示させてもよい。
【００３１】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明に係る撮像装置を正面側から見た斜視図である。
【図２】本発明に係る撮像装置を背面側から見た斜視図である。
【図３】本発明に係る撮像装置の概要を示すブロック図である。
【図４】本発明に係る撮像装置が行う動画像撮影中の静止画像撮影動作を示すフローチャートである。
【符号の説明】
（１７）        ＬＣＤ
（２３）        レリーズボタン
（２５）        第１ＬＥＤ
（２６）        第２ＬＥＤ
（２７）        光源部
【図１】
2005057361.tif 000003
【図２】
2005057361.tif 000004
【図３】
2005057361.tif 000005
【図４】
2005057361.tif 000006